(57)【要約】  ＤＡＢシステムでＩＰデータキャスティング・サービスを提供する方法及び装置を提供する。デジタル放送システムでＩＰデータキャスティング・サービスを提供する方法は、ＩＰデータキャスティング・サービスであることを示すサービス構成情報を生成する段階と、伝送するデータをパケット化してＩＰパケットデータを生成する段階と、パケット化されたＩＰパケットデータの構成についての情報を所定のプロトコルでフォーマットする段階と、サービス構成情報、ＩＰパケットデータ及びＩＰパケットデータの構成についての情報をそれぞれ別途のチャンネル伝送を介してする段階を含むことを特徴とする。これにより、伝送されるマルチメディアデータに関する多様な情報が共に伝送され、マルチメディアデータの種類によって適切に処理できるＩＰデータキャスティング機能が提供される。
2009501483.tif 000002
【特許請求の範囲】
【請求項１】
デジタル放送システムでＩＰデータキャスティング・サービスを提供する方法において、
前記ＩＰデータキャスティング・サービスであることを示すサービス構成情報を生成する段階と、
伝送するデータをパケット化してＩＰパケットデータを生成する段階と、
前記パケット化されたＩＰパケットデータの構成に関する情報を所定のプロトコルでフォーマットする段階と、
前記サービス構成情報、ＩＰパケットデータ及び前記ＩＰパケットデータの構成に関する情報をそれぞれ別途のチャンネル伝送を介してする段階とを含むことを特徴とする方法。
【請求項２】
前記サービス構成情報は、高速サービスチャンネルを介して伝送されることを特徴とする請求項１に記載の方法。
【請求項３】
前記ＩＰパケットデータは、主サービスチャンネルのデータサービスを利用して伝送されることを特徴とする請求項１に記載の方法。
【請求項４】
前記ＩＰパケットデータの構成に関する情報は、ＳＤＰフォーマットでフォーマットされることを特徴とする請求項１に記載の方法。
【請求項５】
前記ＳＤＰフォーマットでフォーマットされたＩＰパケットデータの構成に関する情報は、主サービスチャンネルのデータサービスのうち、ＭＯＴ方式を利用して伝送されることを特徴とする請求項４に記載の方法。
【請求項６】
前記ＳＤＰフォーマットでフォーマットされたＩＰパケットデータの構成に関する情報は、主サービスチャンネルのデータサービスのうち、ＩＰパケット方式を利用して伝送されることを特徴とする請求項４に記載の方法。
【請求項７】
前記ＳＤＰフォーマットでフォーマットされたＩＰパケットデータの構成に関する情報は、高速情報チャンネルを介して伝送されることを特徴とする請求項４に記載の方法。
【請求項８】
デジタル放送システムでＩＰデータキャスティング・サービスを提供する方法において、
デジタル放送信号を受信する段階と、
受信されたデジタル放送信号をチャンネル別に逆多重化する段階と、
高速情報チャンネルから前記ＩＰデータキャスティング・サービスであることを示すサービス構成情報を抽出する段階と、
主サービスチャンネルから所定のプロトコルでフォーマットされたＩＰパケットデータの構成に関する情報を抽出する段階と、
主サービスチャンネルからパケット化された伝送データを抽出する段階と、
抽出された前記サービス構成情報及び前記ＩＰパケットデータの構成に関する情報を利用し、前記ＩＰパケットデータを処理する段階とを含み、
前記サービス構成情報、前記ＩＰパケットデータの構成に関する情報及び前記ＩＰパケットデータは、それぞれ別途のチャンネルを介して受信されることを特徴とする方法。
【請求項９】
デジタル放送システムでＩＰデータキャスティング・サービスを提供する伝送装置において、
伝送するデータをパケット化してＩＰパケットデータを生成するＩＰパケット化部と、
前記パケット化されたＩＰパケットデータの構成に関する情報を所定のプロトコルでフォーマットするＳＤＰフォーマット化部と、
前記ＩＰデータキャスティング・サービスであることを示すサービス構成情報を生成し、前記サービス構成情報、前記ＩＰパケットデータ及び前記ＩＰパケットデータの構成に関する情報をそれぞれ別途のチャンネル伝送を介してする制御部とを備えることを特徴とする伝送装置。
【請求項１０】
前記サービス構成情報は、高速サービスチャンネルを介して伝送されることを特徴とする請求項９に記載の伝送装置。
【請求項１１】
前記ＩＰパケットデータは、主サービスチャンネルのデータサービスを利用して伝送されることを特徴とする請求項９に記載の伝送装置。
【請求項１２】
前記ＩＰパケットデータの構成に関する情報は、ＳＤＰフォーマットでフォーマットされることを特徴とする請求項９に記載の伝送装置。
【請求項１３】
前記ＳＤＰフォーマットでフォーマットされたＩＰパケットデータの構成に関する情報は、主サービスチャンネルのデータサービスのうち、ＭＯＴ方式を利用して伝送されることを特徴とする請求項１２に記載の伝送装置。
【請求項１４】
前記ＳＤＰフォーマットでフォーマットされたＩＰパケットデータの構成に関する情報は、主サービスチャンネルのデータサービスのうち、ＩＰパケット方式を利用して伝送されることを特徴とする請求項１２に記載の伝送装置。
【請求項１５】
前記ＳＤＰフォーマットでフォーマットされたＩＰパケットデータの構成に関する情報は、高速情報チャンネルを介して伝送されることを特徴とする請求項１２に記載の伝送装置。
【請求項１６】
デジタル放送システムでＩＰデータキャスティング・サービスを提供する受信装置において、
受信されたデジタル放送信号をチャンネル別に逆多重化する逆多重化部と、
高速情報チャンネルから前記ＩＰデータキャスティング・サービスであることを示すサービス構成情報を抽出し、主サービスチャンネルから所定のプロトコルでフォーマットされたＩＰパケットデータの構成に関する情報を抽出し、主サービスチャンネルからパケット化された伝送データを抽出する制御部と、
抽出された前記サービス構成情報及び前記ＩＰパケットデータの構成に関する情報を利用し、前記ＩＰパケットデータを処理するＩＰパケット処理部とを備え、
前記サービス構成情報、前記ＩＰパケットデータの構成に関する情報及び前記ＩＰパケットデータは、それぞれ別途のチャンネルを介して受信されることを特徴とする受信装置。
【発明の詳細な説明】
【技術分野】
【０００１】
本発明は、デジタルオーディオ放送（ＤＡＢ）システムに係り、さらに詳細には、ＤＡＢシステムでＩＰデータキャスティング・サービスを提供する方法及び装置に関する。
【背景技術】
【０００２】
デジタルオーディオ放送（ＤＡＢ：Digital  Audio  Broadcasting；以下、ＤＡＢと略称）は、ヨーロッパを中心に既存のＡＭ及びＦＭラジオ放送のデジタル化を目的に設計された放送システムである。オーディオ及びデータサービスを提供し、EUREKA  147D  ABとも呼ばれる。
【０００３】
図１は、ＤＡＢシステムのフレーム構造を図示した図である。図１を参照するに、ＤＡＢフレーム８００は、同期チャンネル８０２、高速情報チャンネル（ＦＩＣ：Fast  Information  Channel；以下、ＦＩＣと略称）８０４及び主サービスチャンネル（ＭＳＣ：Main  Service  Channel）８０６から構成される。
【０００４】
同期チャンネル８０２は、ＤＡＢフレームの復調時に同期化のための情報を含む。ＦＩＣ
８０４は、各種制御情報、高速伝送の必要な緊急なデータ、そしてサービス情報が含まれる。ＦＩＣの信号は、ＭＳＣと異なり、時間インターリーバを経ないために、速い伝送が可能であるという長所があるが、伝送量が３２バイトに制限される短所がある。
【０００５】
一方、ＭＳＣ  ８０６は、複数のオーディオサービス及び複数のデータサービスのためのデータが含まれる。図示されているように、１個のＤＡＢフレーム８００に複数個のサービスチャンネル８０８が含まれ、各サービスチャンネルは、複数個のサブチャンネル８１０を含む。各サブチャンネルは、独立的に符号化及びインターリービング過程を経て１つのＭＳＣに多重化される。
【０００６】
一方、ＤＡＢシステムでデータサービスは、ストリームモード（stream  mode）とパケットモード（Packet  mode）とに区分され、特にパケットモードを介してＩＰパケットを伝送するために、ＩＰトンネリング方式（ＩＰ  Tunneling）が使われる。具体的なＩＰトンネリング方式は、ＥＴＳＩ  ＴＳ  １０１７３５  ｖ１．１．１に詳細に記述されている。
【０００７】
図２は、ＤＡＢシステムのＩＰトンネリングサービスを示した図である。図２を参照するに、ＩＰトンネリング方式は、ＩＰパケットを伝送する情報として見るのみ、ＩＰパケット内部についての情報は考慮していない。従来のＤＡＢシステムで、マルチメディアデータをＩＰトンネリング方式で伝送する場合、ＤＡＢ伝送装置９００やＤＡＢ受信装置９０２は、当該ＩＰパケットの内容が何であるか、すなわち当該ＩＰパケットがファイルであるか、ビデオストリームであるか、オーディオストリームであるか全く分からない。従って、ＤＡＢ伝送装置９００やＤＡＢ受信装置９０２は、ＩＰパケットが伝送される通路として提供されるのみ、能動的に伝送されるマルチメディアデータを処理できないという問題点がある。
【発明の開示】
【発明が解決しようとする課題】
【０００８】
前述の問題点を解決するために、本発明がなそうとする技術的課題は、マルチメディアデータをＩＰパケットを利用して伝送する場合、ＩＰパケットについての情報が分かるように、ＤＡＢシステムでＩＰデータキャスティング・サービスを提供する方法及び装置を提供することである。
【課題を解決するための手段】
【０００９】
本発明によって前述の技術的課題は、デジタル放送システムでＩＰデータキャスティング・サービスを提供する方法において、ＩＰデータキャスティング・サービスであることを示すサービス構成情報を生成する段階と、伝送するデータをパケット化してＩＰパケットデータを生成する段階と、パケット化されたＩＰパケットデータの構成についての情報を所定のプロトコルでフォーマットする段階と、サービス構成情報、ＩＰパケットデータ及びＩＰパケットデータの構成についての情報をそれぞれ別途のチャンネル伝送を介してする段階とを含むことを特徴とする方法により達成される。
【００１０】
サービス構成情報は、高速サービスチャンネル（ＦＩＣ）を介して伝送され、ＩＰパケットデータは、主サービスチャンネル（ＭＳＣ）のデータサービスを利用して伝送されることが望ましい。
【００１１】
また、ＩＰパケットデータの構成についての情報は、ＳＤＰ（Session  Description  Protocol）フォーマットでフォーマットされ、ＳＤＰフォーマットでフォーマットされたＩＰパケットデータの構成についての情報は、ＭＳＣのデータサービスのうちＭＯＴ（Multimedia  Object  Transfer）方式を利用して伝送され、ＳＤＰフォーマットでフォーマットされたＩＰパケットデータの構成についての情報は、ＭＳＣのデータサービスのうちＩＰパケット方式を利用して伝送され、ＳＤＰフォーマットでフォーマットされたＩＰパケットデータの構成についての情報は、ＦＩＣを介して伝送されることが望ましい。
【００１２】
一方、本発明の他の分野によれば前述の技術的課題は、デジタル放送システムでＩＰデータキャスティング・サービスを提供する方法において、デジタル放送信号を受信する段階と、受信されたデジタル放送信号をチャンネル別に逆多重化する段階と、ＦＩＣからＩＰデータキャスティング・サービスであることを示すサービス構成情報を抽出する段階と、ＭＳＣから所定のプロトコルでフォーマットされたＩＰパケットデータの構成についての情報を抽出する段階と、ＭＳＣからパケット化された伝送データを抽出する段階と、抽出されたサービス構成情報及びＩＰパケットデータの構成についての情報を利用してＩＰパケットデータを処理する段階とを含み、サービス構成情報、ＩＰパケットデータの構成についての情報及びＩＰパケットデータは、それぞれ別途のチャンネルを介して受信されることを特徴とする方法によって達成される。
【００１３】
また一方、本発明の他の分野によれば、前述の技術的課題は、デジタル放送システムでＩＰデータキャスティング・サービスを提供する伝送装置において、伝送するデータをパケット化してＩＰパケットデータを生成するＩＰパケット化部と、パケット化されたＩＰパケットデータの構成についての情報を所定のプロトコルでフォーマットするＳＤＰフォーマット化部と、ＩＰデータキャスティング・サービスであることを示すサービス構成情報を生成し、サービス構成情報、ＩＰパケットデータ及びＩＰパケットデータの構成についての情報をそれぞれ別途のチャンネル伝送を介してする制御部とを備えることを特徴とする伝送装置により達成される。
【００１４】
一方、本発明の他の分野によれば、前述の技術的課題は、デジタル放送システムでＩＰデータキャスティング・サービスを提供する受信装置において、受信されたデジタル放送信号をチャンネル別に逆多重化する逆多重化部と、ＦＩＣからＩＰデータキャスティング・サービスであることを示すサービス構成情報を抽出し、ＭＳＣから所定のプロトコルでフォーマットされたＩＰパケットデータの構成についての情報を抽出し、ＭＳＣからパケット化された伝送データを抽出する制御部と、抽出されたサービス構成情報及びＩＰパケットデータの構成についての情報を利用してＩＰパケットデータを処理するＩＰパケット処理部とを備え、サービス構成情報、ＩＰパケットデータの構成についての情報及びＩＰパケットデータは、それぞれ別途のチャンネルを介して受信されることを特徴とする受信装置によって達成される。
【発明の効果】
【００１５】
本発明によれば、ＤＡＢシステムでＩＰデータキャスティング・サービスを提供する方法及び装置が提供される。すなわち、マルチメディアデータをＩＰパケットを利用して伝送する場合、ＩＰパケットについての情報が分かるように、ＩＰデータキャスティング・サービス構成情報はＦＩＣを介し、ＩＰパケット構成情報とＩＰパケットデータは、それぞれＭＳＣのデータサービスを介して伝送される。
【００１６】
これにより、伝送されるデータの内容は分からないまま、ＩＰトンネリングの通路としてのみ使われる既存のＤＡＢ伝送装置及びＤＡＢ受信装置とは異なり、本発明によるＤＡＢ伝送装置及びＤＡＢ受信装置は、伝送されるマルチメディアデータについての多様な情報が共に伝送され、マルチメディアデータの種類によって適切な処理が可能である。
【００１７】
また、ＤＡＢシステムでＩＰパケット構成情報を効果的に容易に把握できる伝送方法を提供し、今後ＤＡＢシステムを利用したＩＰデータキャスティングを可能にする。
【発明を実施するための最良の形態】
【００１８】
以下、添付した図面を参照しつつ、本発明の望ましい実施形態について詳細に説明する。本発明を説明するににあたり、関連した公知の機能または構成についての具体的な説明が、本発明の要旨を不必要にぼやかしてしまうと判断される場合には、その詳細な説明を省略する。また、後述の用語は、本発明での機能を考慮して定義された用語であり、それらはは、ユーザ、運用者の意図または慣例などによって変わりうる。従って、その定義は、本明細書全般にわたった内容を基に下されねばならない。
【００１９】
本発明では、デジタルオーディオ放送（ＤＡＢ）システムでマルチメディアデータをＩＰパケットを利用して伝送する場合、ＩＰパケットについての情報をＤＡＢ伝送側と受信側とが把握できるように、ＩＰデータキャスティング・サービスを提供する方法及び装置を提案する。
【００２０】
ＩＰデータキャスティングは、ファイル、静止映像、動映像ストリームのようなマルチメディアデータを多数のユーザに放送することを意味する。従来のＩＰトンネリング方式がＤＡＢ送受信装置で伝送されるＩＰパケットの内容を全く把握できなかったことに比べ、ＩＰデータキャスティング・サービスは、ＤＡＢ送受信装置で伝送及び受信されるＩＰパケットの内容を把握できるということを特徴とする。
【００２１】
以下、マルチメディアデータのうち一つである動映像ストリームをＩＰデータキャスティングする場合を例にして説明する。しかし、これは、一実施形態であるだけであり、その他のマルチメディアデータの場合にも同じ方法が適用される。
【００２２】
図３は、本発明の一実施形態によって、ＩＰデータキャスティング・サービスを提供するＤＡＢシステムを図示した図である。図３を参照するに、本発明によるＤＡＢ伝送装置１とＤＡＢ受信装置２は、サービスチャンネルを符号化してインターリービングした後で多重化する従来の構成要素以外に、本発明によるＩＰデータキャスティング処理器１０，２０をさらに具備する。ＩＰデータキャスティング処理器１０，２０は、伝送されるマルチメディアデータをＩＰパケット化するだけではなく、ＩＰパケットについての情報と、ＩＰデータキャスティング・サービスについての情報とをさらに生成する。
【００２３】
さらに具体的に、図４は、図３に図示されたＩＰデータキャスティング処理器の構造を図示した図である。
【００２４】
図４を参照するに、ＩＰデータキャスティング処理器１０，２０は、制御部１１、ＩＰパケット化部１２及びＳＤＰ（Session  Description  Protocol）フォーマット化部１３を具備する。
【００２５】
ＩＰパケット化部１２は、伝送しようとするマルチメディアデータをＩＰパケットにパケット化する。さらに具体的に、図６Ａ及び図６Ｂは、本発明によるＩＰデータキャスティング・サービスのためのＩＰパケットデータの一例を図示した図である。図６Ａを参照するに、動映像ストリームは、圧縮符号化された後、ＲＴＰ（Real-time  Transport  Protocol）方式でパケット化され、またＵＤＰ（User  Datagram  Protocol）方式でパケット化され、ＲＴＰ／ＵＤＰパケットは、ＩＰ方式でパケット化され、ＲＴＰ／ＵＤＰ／ＩＰパケットデータ１４Ａとなる。パケット化されたＲＴＰ／ＵＤＰ／ＩＰパケットデータを、以下ではＩＰパケットデータ１４と略称する。また、図６Ｂを参照するにば、ファイルにＦＬＵＴＥ（File  Delivery  Over  Unidirectional  Transport）方式でパケット化され、さらにＵＤＰ方式でパケット化され、該ＦＬＵＴＥ／ＵＤＰパケットは、ＩＰ方式でパケット化されてＦＬＵＴＥ／ＵＤＰ／ＩＰパケットデータ１４Ｂになる。これもまた、ＩＰパケットデータ１４と略称する。前述のように、パケットデータ１４が実際に伝送しようとするマルチメディアデータを含んでいる。
【００２６】
一方、ＳＤＰフォーマット化部１３は、ＩＰパケット化に使われた情報をＳＤＰ情報形態でフォーマット化する。このフォーマット化方式としては、ＳＤＰ規則であるＲＦＣ２３２７が使われることが望ましい。すなわち、動映像ストリームやファイルのようなマルチメディアデータがＩＰパケット化部１２によりＩＰパケットデータになるとき、ＩＰパケットのパケット化に係る多様な情報、すなわちＩＰパケット構成情報がＳＤＰフォーマットでフォーマット化される。
【００２７】
さらに具体的に、図７は、本発明によるＩＰデータキャスティング・サービスのためのＩＰパケット構成情報の一例を図示した図である。図７を参照するに、ビデオやオーディオ、ファイルのようなマルチメディアデータがＩＰパケット化されるのに必要な情報がＩＰパケット構成情報１５をなす。これは、ＳＤＰフォーマット情報ともいう。例えば、ＲＴＰパケットの場合、ビデオストリームやオーディオストリームがＩＰパケット化されるとき、ＲＴＰパケットがいかなるパケット化方式を使用したかについての情報、当該ＲＴＰパケットがオーディオストリームであるか、ビデオストリームであるかについての情報、ＵＤＰパケットのポート番号、ＩＰパケットのバージョン情報などがＩＰパケット構成情報に含まれる。再び図４を参照するに、このような過程を介してＩＰデータキャスティング処理器１０は、ＩＰパケットデータ１４とＳＤＰフォーマットのＩＰパケットの構成情報１５とを出力する。ＩＰパケットデータ１４とＳＤＰフォーマットのＩＰパケットの構成情報１５は、ＤＡＢ伝送装置１の主サービスチャンネル（ＭＳＣ）のデータサービスを利用して伝送される。
【００２８】
次は、ＳＤＰフォーマット情報、すなわちＩＰパケット構成情報をＭＯＴ（Multimedia  Object  Transfer）パケットを介して一般テキスト情報として伝送する場合、ＳＤＰの構成の一例である。
【００２９】
m=video  49170  RTP/AVP  98
a=rtpmap:  98  H264/90000
前記ＳＤＰフォーマット情報は、マルチメディアがビデオストリームであり、ＵＤＰポート４９１７０で伝送され、ＲＴＰパケットの９８番Ｐａｙｌｏａｄ  Ｔｙｐｅを使用してＨ．２６４でエンコーディングされ、９０ｋＨｚ時間情報でＲＴＰパケットの時間スタンプが構成されているということを示している。
【００３０】
また、他の実施形態として、ＳＤＰフォーマット情報をＸＭＬのような形態で構成して伝送する場合は次の通りである。
【００３１】
<def>
<audio:codec  name=“MPEG-4  HE-AAC”encoding=“HE_AAC
channels=“2”sampling=“44100”/>
<rtp:pt  name=“rtp-avp-18”pt=“18”format=“HE_AAC”/>
</def>
前記ＳＤＰフォーマット情報は、ＲＴＰ  ｐａｙｌｏａｄ  ｔｙｐｅが１８であるＭＰＥＧ−４  ＨＥ−ＡＡＣでエンコーディングされたＲＴＰパケットであることを示している。かようなＳＤＰフォーマット情報１５、はＤＡＢ伝送装置１で後述するデータ符号器に入力される。データ符号器は、伝送方法によって、ＭＯＴ符号化部とパケットモード符号化部とに区分されることが望ましい。
【００３２】
一方、図４を参照するに、制御部１１は、ＩＰデータキャスティング・サービスについてのサービス構成情報１６を出力する。このサービス構成情報１６は、ＤＡＢ伝送装置からＦＩＣを介して伝送される。ＩＰデータキャスティング・サービスは、ＥＴＳＩ  ＥＮ  ３００  ４０１のデータサービス・コンポーネントタイプであるＤＳＣＴｙフィールドを使用し、当該データサービスがＩＰパケットを使用するものであることを示すことが望ましい。また、ユーザアプリケーションタイプであるＵＡｔｙｐｅフィールドを使用し、ＩＰデータキャスティングアプリケーションであることを知らせることが望ましい。
【００３３】
以下、本発明によるＩＰデータキャスティング・サービスを提供するＤＡＢ伝送装置の全体構造及び動作について総合的に説明する。
【００３４】
図５は、本発明の一実施形態によって、ＩＰデータキャスティング・サービスを提供するＤＡＢ伝送装置の構造を図示した図である。図５を参照するに、本発明によるＤＡＢ伝送装置１は、ＩＰデータキャスティング処理器１０、データサービスチャンネル処理部１０３、オーディオサービスチャンネル処理部１０２、制御情報チャンネル処理部１０１、ＭＳＣ多重化器１０４、フレーム多重化器１０５、同期シンボル生成器１０６及び変調器１０７を具備する。
【００３５】
ＩＰデータキャスティング処理器１０は、ＩＰデータキャスティング・サービスを提供するために、ＩＰデータキャスティング・サービス構成情報１６、ＩＰパケット構成情報１５及びＩＰパケットデータ１４を出力する。ＩＰデータキャスティング処理器１０の内部構造は、図４ですでに詳述してある。データサービスチャンネル処理部１０３は、ＤＡＢシステムでデータサービス信号を処理し、オーディオサービスチャンネル処理部１０２は、オーディオサービス信号を処理する。制御情報チャンネル処理部１０１は、各サービスを多重化するための制御情報、サービス情報、そして緊急伝送の必要な高速情報チャンネルデータを処理する。データサービスチャンネルの信号とオーディオサービスチャンネルの信号は、ＭＳＣ多重化器１０４を介して１つの信号に多重化され、これはさらに制御情報チャンネルの信号と共にフレーム多重化器１０５を介して１つの信号に多重化される。該信号は、同期シンボル生成器１０６の同期化情報と共に変調器１０７を介して変調され、ＤＡＢフレームに出力される。出力されたＤＡＢフレームは、図１で説明した通り、同期チャンネル、高速情報チャンネル（ＦＩＣ）及びＭＳＣを含む。
【００３６】
前述のように、伝送しようとするオーディオサービス信号とデータサービス信号は、１つのＤＡＢ信号に多重化される。さらに具体的に、ＤＡＢ信号の多重化過程について述べれば、次の通りである。
【００３７】
まず、オーディオサービス信号を多重化する過程について述べれば、オーディオサービスチャンネル処理部１０２は、まず伝送効率を高めるために、入力されたオーディオデータを圧縮符号化する。このとき、ＭＰＥＧ  １  Ａｕｄｉｏ  Ｌａｙｅｒ−２またはＭＰＥＧ  ２  Ａｕｄｉｏ  Ｌａｙｅｒ−２規格による。また、オーディオサービスチャンネル処理部１０２は、符号化されたデータに反復される特定パターンを除去してランダムパターンに変えるために、エネルギー分散スクランブリングを行う。さらに、オーディオサービスチャンネル処理部１０２は、チャンネル符号化のために、畳み込み（convolution）過程とパンクチャリング（puncturing）過程とを行う。パンクチャリング過程で使用するパンクチャリングベクターは多様であり、どのベクターを使用したかによって符号化率は変わる。選択可能な符号化率のうち、いずれの符号化率を適用するかは、現在伝送するデータの種類とその特性とによって、ＤＡＢ伝送装置１で決定される。ＤＡＢ伝送装置１は、選択可能な符号化率のうち、現在伝送するデータがエラー特性に敏感であるか、遅延特性に敏感であるかを考慮し、エラー特性に敏感である場合には、エラー訂正能を高めるように符号化率を選択し、遅延特性に敏感である場合は、データの伝送率を高めるように符号化率を選択する。このとき、ＤＡＢ伝送装置１で選択された符号化率についての情報をＤＡＢ受信装置２に伝送せねばならないが、選択された符号化率についての情報は、多重化構成情報として制御情報チャンネルに含まれる。
【００３８】
チャンネル符号化されたデータは、時間インターリービング過程を経る。すなわち、入力された信号の出力順序を一定の規則で変化させることによって、インターリービングされた出力データがその順序が変わり、伝送過程でバーストエラーが発生しても、受信装置で逆インターリービング過程を経れば、各エラー発生ビットの位置が散在するようになるので、ランダムエラーになって、復号器でエラー訂正が可能になる。時間インターリービング過程を経たデータは、ＭＳＣ多重化器１０４に入力される。オーディオサービスの場合、一つ以上のサービスが同時に存在でき、各サービス別に前述のオーディオサービスチャンネル処理過程を独立的に経た後で、多重化器１０４に入力される。
【００３９】
一方、データサービスチャンネル処理部１０３も、前述の符号化、エネルギー分散スクランブリング、チャンネル符号化、時間インターリービング過程をいずれも経た後、ＭＳＣ多重化器１０５に入力され、オーディオ信号と共に１つのＭＳＣ信号に多重化される。前述のように、ＭＳＣ多重化器１０４には、オーディオサービスとデータサービスとのための信号がそれぞれ独立的に符号化からインターリービングまでの過程をいずれも経て入力される。各サービスの信号処理過程がサービス別に独立的になされるというのは、各サービスごとに互いに異なる符号化率を有することができるということを意味する。各サービスの独立的な符号化過程を経る単位を物理的な概念として、サブチャンネル（sub  channel）という。
【００４０】
ＭＳＣ多重化器１０４を介して多重化されたサブチャンネルデータは、１つのＭＳＣを構成する。ＭＳＣは、ＦＩＣと共にフレーム多重化器１０５を介して１つの信号に多重化され、同期チャンネルが合わさって１つのＤＡＢフレームを生成する。該ＤＡＢフレームは、アンサンブル（Ensemble）という。
【００４１】
一方、制御情報チャンネル処理部１０１は、ＦＩＣデータサービス信号、多重化構成情報、サービス情報などから構成された制御情報を多重化してエネルギー分散スクランブリングした後、チャンネル符号化してＦＩＣを構成する。ＦＩＣは、図１に図示されているようなフレームの構造でＭＳＣより時間的に先に位置し、またＭＳＣと異なって時間インターリービングを経ないので、受信装置２でＭＳＣより速く復調が可能である。
【００４２】
フレーム多重化器１０５を経た信号は、変調器１０７を介してデータ変調、周波数インターリービング、ＯＦＤＭ（Orthogonal  Frequency-Domain  Multiplexing）変調過程を経て、同期シンボル生成器１０６を介して同期チャンネルが加えられて１つのＤＡＢフレームをなす。このとき、ＤＡＢ信号には、伝送装置識別情報であるＴＩＩ信号が付加される。
【００４３】
以上で述べた過程を介して、ＩＰデータキャスティング・サービスを提供するＤＡＢフレームが完成される。次に、完成されたＤＡＢフレームを伝送する方法について説明する。特に、本発明によるＩＰデータキャスティング・サービスを提供するために、ＩＰパケットデータ１４、ＩＰパケット構成情報１５及びＩＰデータキャスティング・サービス構成情報１６が伝送される方法を中心に述べる。
【００４４】
図８Ａないし図８Ｃは、本発明の他のＩＰデータキャスティング・サービスのための多様なデータ伝送方法を図示した図である。
【００４５】
図８Ａは、第１実施形態であって、ＭＯＴ方式を利用してＩＰパケット構成情報１５を伝送する場合を図示し、図８Ｂは、第２実施形態であって、ＩＰパケット方式を利用してＩＰパケット構成情報１５を伝送する場合を図示し、図８Ｃは、第３実施形態であって、ＦＩＣを利用してＩＰパケット構成情報１５を伝送する場合を図示する。
【００４６】
このとき、ＩＰデータキャスティング・サービス構成情報１６及びＩＰパケットデータ１４を伝送する方法は、３つの実施形態いずれも同一である。すなわち、前者は、ＦＩＣシグナリングを介し、後者は、ＩＰパケット方式を介して伝送するのである。以下、各実施形態別にデータ伝送方法について具体的に述べる。
【００４７】
図９Ａ及び図９Ｂは、ＩＰデータキャスティング・サービスのサービス構成情報を伝送するためのＦＩＣシグナリング方法の一例を図示した図である。
【００４８】
ＦＩＣは、複数個の高速情報ブロック（ＦＩＢ）から構成され、ＦＩＢはまた、複数個のＦＩＧにより構成される。
【００４９】
図９Ａを参照するに、高速情報グループＦＩＧ  ０／３のサービスコンポーネントの構成が図示されている。このうち、ＤＳＣＴｙフィールドを利用してＩＰパケット構成情報であるＳＤＰフォーマット情報が伝送される方法を指定できる。すなわち、ＳＤＰフォーマット情報がＩＰパケット方式で伝送される場合、ＤＳＣＴｙフィールドをＩＰパケット３００に指定するようにすることができる。また、ＳＤＰフォーマット情報がＭＯＴ方式で伝送される場合、ＤＳＣＴｙフィールドをＭＯＴ  ３０１に指定させることができる。
【００５０】
一方、図９Ｂを参照するに、高速情報グループＦＩＧ  ０／１３のユーザアプリケーション情報の構成が図示されている。ＦＩＧ  ０／１３のＵＡＴｙフィールドを利用して当該サービスが動映像ストリームをＩＰデータキャスティング（ＩＰ  ＤＣ）サービスするか、またはファイルをＩＰデータキャスティングしているかを指定できる。
【００５１】
一方、ＦＩＧ  ０／３及びＦＩＧ  ０／１３を利用してＩＰデータキャスティング・サービスについての情報を指定する代わりに、ＦＩＧ  ０／１３一つだけを利用してＩＰデータキャスティング・サービスについての情報を指定することもできる（３０３）。例えば、ＦＩＧ  ０／１３のＵＡＴｙフィールドは、ＩＰデータキャスティング・サービスであることを指定し、ＦＩＧ  ０／１３のＵＡ  Ｄａｔａフィールドは、伝送プロトコルを指定するようにすることができる。前述の実施形態は、ＦＩＧシグナリングのための一実施形態であるのみ、多様な変形が可能であることはいうまでもない。
【００５２】
図１０は、本発明の第１実施形態であって、図８ＡのＭＯＴを利用した伝送方法を説明する図である。図１０を参照するに、ＩＰパケット構成情報１５であるＳＤＰフォーマット情報がＭＯＴ方式で伝送される場合を図示する。ＤＡＢ伝送装置１のデータサービスチャンネル処理部１０３は、ＤＡＢ標準によってＩＰパケット構成情報１５をＭＯＴ符号化し、これをさらにパケットモード／ＰＡＤ符号化する。符号化された信号は、ＤＡＢ信号に多重化される。一方、ＤＡＢ受信装置２では、ＤＡＢ信号を逆多重化し、パケットモード／ＰＡＤ復号化を経てＭＯＴ復号化し、ＩＰパケット構成情報を解釈できる。
【００５３】
さらに具体的に、図１１は、ＭＯＴパケットの構造を図示した図である。
【００５４】
図１１を参照するに、ＭＯＴ符号化部では、ＩＰパケット構成情報１５であるＳＤＰフォーマット情報であることを受信装置で解釈できるように、ＭＯＴパケットのヘッダコアに必要な情報を入力する。ＳＤＰフォーマット情報は、一般的にテキスト基盤情報により構成できるので、ＣｏｎｔｅｎｔＴｙｐｅフィールド３０１２を、テキストを示す０ｘ０００００１に設定し、ＣｏｎｔｅｎｔＴｙｐｅフィールド３０１３は、ＳＤＰフォーマット情報であることを示すように、０ｘ０００００００１１に設定できる。しかし、これは、一例にしか過ぎず、多様な変形が可能である。
【００５５】
図１２は、本発明の第２実施形態であって、図８ＢのＩＰパケットを利用した伝送方法を説明する図である。図１２を参照するに、ＳＤＰフォーマット情報１５は、ＩＰパケット化され、これは、ＭＳＣデータグループにパケット化された後、さらにパケットモードデータにパケット化されてＤＡＢ受信装置２に伝送される。
【００５６】
図１３は、本発明の第３実施形態であって、図８ＣのＦＩＣを利用した伝送方法を説明する図である。図１３を参照するに、ＳＤＰフォーマット情報１５がＦＩＣ  ０／１３にシグナリングされてＤＡＢ受信装置２に伝送される。このとき、ユーザアプリケーションデータ（ＵＡ  Ｄａｔａ）のフィールドの組み合わせを利用してＳＤＰフォーマット情報を伝送できる。図示された例は、一実施形態に過ぎず、多様な変形が可能であることはいうまでもない。
【００５７】
以上で述べた通り、ＩＰデータキャスティング・サービスの構成情報１６は、制御情報チャンネル処理部１０１を介してＦＩＣに載せられ、ＩＰパケット構成情報であるＳＤＰフォーマットデータ１５とＩＰパケットデータ１４は、データサービスチャンネル処理部１０３を介してＭＳＣに載せられてＤＡＢ信号に多重化された後、ＤＡＢ受信装置２に伝送される。これによって、伝送されるデータの内容は知らないまま、ＩＰトンネリングの通路としてのみ使われる既存のＤＡＢ伝送装置及びＤＡＢ受信装置とは異なり、本発明によるＤＡＢ伝送装置及びＤＡＢ受信装置は、伝送されるマルチメディアデータについての多様な情報が共に伝送され、マルチメディアデータの種類によって適切に処理できるようになる。
【００５８】
伝送されたＩＰデータキャスティング・サービスを含むＤＡＢ信号は、ＤＡＢ受信装置２で受信されて処理される。具体的に、図１４は、本発明の一実施形態によって、ＩＰデータキャスティング・サービスを提供するＤＡＢ受信装置の動作を説明するための図である。
【００５９】
図１４を参照するに、ＤＡＢ受信装置２は、ＤＡＢ信号を受信すれば、まずＦＩＣの制御情報を逆多重化し、ＦＩＣの情報を解釈する。このとき、ＦＩＣに載せられたＩＰデータキャスティング・サービス情報を解釈し、その後データがＩＰデータキャスティング・サービスについての情報であることが分かる。例えば、ＦＩＣのＤＳＣＴｙを介してＩＰパケットが伝送されており、ＵＡｔｙでＩＰデータキャスティング・サービス中であることが分かるのである。詳細なＦＩＣシグナリング方式は、図９Ａ及び図９Ｂですでに説明してある。
【００６０】
また、ＤＡＢ受信装置２は、ＭＳＣを逆多重化し、ＭＯＴパケットでもってパケット構成情報であるＳＤＰフォーマット情報を受信した後、ＳＤＰフォーマット情報を解釈する。解釈されたＩＰパケットについての構成情報に基づいて、ＩＰパケット処理器を駆動する。一方、ＤＡＢ受信装置２は、ＭＳＣを逆多重化してパケットモードでＩＰパケットを受信すれば、これをＩＰパケット処理器に伝達する。ＩＰパケット処理器は、ＩＰパケットデータに載せられたオーディオ／ビデオ／データサービス情報を各サービスの種類に合わせて処理する。処理されたマルチメディアデータは、ファイルである場合には、メモリのような記録媒体に保存され、オーディオストリームは、オーディオ出力器を介して出力され、ビデオストリームは、映像ディスプレイ装置を介して出力される。
【００６１】
一方、本発明で提案した方式を多様に応用できる。例えば、ＭＰＥＧ−２  ＴＳに基づいたＤＡＢ、ＤＶＢ、ＡＴＳＣ、ＩＳＤＢ−Ｔのようなデジタル放送システムで、ＭＰＥＧ−２  ＴＳに基づいたＩＰパケットサービスを提供する場合には、ＩＰデータキャスティング・サービス構成情報１６は、ＭＰＥＧ−２  ＴＳのＰＳＩ／ＳＩに伝送し、ＭＰＥＧ−２  ＴＳパケット内部のプログラム関連記述子にＳＤＰフォーマット情報１５のようなＩＰパケット構成情報を伝送することにより、効率的なＭＰＥＧ−２  ＴＳに基づいたＩＰデータキャスティング・サービスを構成することもできる。
【００６２】
以下では、本発明によるＩＰデータキャスティング・サービスを応用した多様な実施形態について説明する。図１５ないし図１９は、本発明によるＩＰデータキャスティング・サービスを応用した多様な実施形態を図示した図である。
【００６３】
まず、図１５は、パケット符号化部でさらにエラーに強靭なパケットを伝送するために、パケットのパケットエラー訂正部をさらに使用する場合を図示する。図１５を参照するに、パケット順方向エラー訂正方式は、最終パケット化されたパケットデータを、一定単位の大きさほどメモリにインターリービング技法で、列方向を行方向に保存する。これら保存されたインターリービングされたデータに対し、リードソロモン（ＲＳ：Reed  Solomon）方式のようなエラー訂正方式を介してＲＳコーディングされたＲＳパケットデータを作り、該ＲＳパケットデータをさらにパケット化して伝送するのである。その場合、当該パケット伝送技術に純方向エラー訂正方式（ＦＥＣ）が適用されたことをＩＰデータキャスティング・サービス構成情報１６によって知らせなければならない。
【００６４】
一方、図１６は、動映像ファイルのようにサイズの大きいマルチメディアファイルをＩＰデータキャスティング・サービスを介してＩＰパケットでもって伝送する場合のエラー訂正方法を図示する。図１６を参照するに、サイズの大きいマルチメディアファイルのエラー訂正のために、前述のパケットエラー訂正部と共に、マルチメディアデータパケットにエラー訂正付加データ（ＦＥＣ付加データ）を追加して伝送する。
【００６５】
また、図１７は、ＳＤＰフォーマット情報のエラー訂正方法を図示する。図１７を参照するに、ＭＯＴパケットとして伝送されるＳＤＰフォーマット情報１５をＧＺＩＰのような無損失圧縮技法で圧縮し、さらに小サイズの圧縮されたデータにして、これをＭＯＴパケットとして伝送する。
【００６６】
また、図１８も、ＳＤＰフォーマット情報の他のエラー訂正方法を図示する。図１８を参照するに、圧縮されたＳＤＰフォーマット情報データにエラー訂正付加データ（ＦＥＣ付加データ）を追加して伝送することによって、伝送効率は高めてエラーに強靭なようにする効果をもたらすことができる。
【００６７】
一方、図１９は、ＩＰデータキャスティング・サービスを有料サービスとして提供できる方法を図示する。図１９を参照するに、ＳＤＰフォーマット情報１５をスクランブリングすることによって、有料加入者にＣＡＳ（Conditional  Access  Service）が可能なように有料サービスを提供できる。すなわち、有効加入者は、ＳＤＰフォーマット情報をデスクランブリングできるキー値の提供を受けることによって、デスクランブリングされたＳＤＰフォーマット情報を解釈し、解釈された情報を基にＩＰパケットを処理できる。
【００６８】
前述の実施形態で使われた方式以外にも、マルチメディアデータをＩＰデータキャスティング・サービスを介して伝送する多様な場合がありえる。そして、かような多様な場合に使われる方式に対応するＩＰデータキャスティング・サービス構成情報は、ＤＡＢのサービス情報（ＳＩ：Service  Information）を介して伝送されねばならない。すなわち、マルチメディアデータにＦＥＣ付加データが追加されたり、またはＳＤＰフォーマット情報がＧＺＩＰ技法で圧縮されたり、圧縮されたＳＤＰフォーマット情報にＦＥＣ付加データが追加されたり、ＳＤＰフォーマット情報がスクランブリングされたというような情報は、ＤＡＢシステムのＳＩを介して伝送されることが望ましい。また、それら情報は、ＤＡＢシステムのサービス情報を介して伝送されると共に、従来の電子プログラム案内情報にそれら情報を追加して提供されることも望ましい。
【００６９】
一方、本発明によるＤＡＢシステムでＩＰデータキャスティング・サービスを提供する方法は、コンピュータプログラムで作成可能である。前記プログラムを構成するコード及びコードセグメントは、当分野のコンピュータプログラマによって容易に推論される。また、前記プログラムは、コンピュータで読み取り可能な情報記録媒体に保存され、コンピュータによって読み取られて実行されることによって、ＤＡＢシステムでＩＰデータキャスティング・サービスを提供する方法を具現する。前記情報記録媒体は、磁気記録媒体、光記録媒体及びキャリアウェーブ媒体を含む。
【００７０】
以上、本発明についてその望ましい実施形態を中心に説明した。本発明が属する技術分野で当業者ならば、本発明が本発明の本質的な特性から外れない範囲で変形された形態で具現されうることを理解することができるであろう。よって、開示された実施形態は、限定的な観点ではなくして説明的な観点から考慮されねばならない。本発明の範囲は、前述の説明ではなくして特許請求の範囲に示されており、それと同等な範囲内にあるあらゆる差異点は、本発明に含まれているものと解釈されねばならない。
【図面の簡単な説明】
【００７１】
【図１】ＤＡＢシステムのフレームの構造を示した図である。
【図２】ＤＡＢシステムのＩＰトンネリングサービスを示した図である。
【図３】本発明の一実施形態によって、ＩＰデータキャスティング・サービスを提供するＤＡＢシステムを示した図である。
【図４】図３に図示されたＩＰデータキャスティング処理器の構造を示した図である。
【図５】本発明の一実施形態によって、ＩＰデータキャスティング・サービスを提供するＤＡＢ伝送装置の構造を示した図である。
【図６Ａ】本発明によるＩＰデータキャスティング・サービスのためのＩＰパケットデータの一例を示した図である。
【図６Ｂ】本発明によるＩＰデータキャスティング・サービスのためのＩＰパケットデータの一例を示した図である。
【図７】本発明によるＩＰデータキャスティング・サービスのためのＩＰパケット構成情報の一例を示した図である。
【図８Ａ】本発明に他のＩＰデータキャスティング・サービスのための多様なデータ伝送方法を示した図である。
【図８Ｂ】本発明に他のＩＰデータキャスティング・サービスのための多様なデータ伝送方法を示した図である。
【図８Ｃ】本発明に他のＩＰデータキャスティング・サービスのための多様なデータ伝送方法を示した図である。
【図９Ａ】ＩＰデータキャスティング・サービスのサービス構成情報を伝送するためのＦＩＣシグナリング方法の一例を示した図である。
【図９Ｂ】ＩＰデータキャスティング・サービスのサービス構成情報を伝送するためのＦＩＣシグナリング方法の一例を示した図である。
【図１０】本発明の第１実施形態であって、図８ＡのＭＯＴを利用した伝送方法を説明する図である。
【図１１】ＭＯＴパケットの構造を示した図である。
【図１２】本発明の第２実施形態であって、図８ＢのＩＰパケットを利用した伝送方法を説明する図である。
【図１３】本発明の第３実施形態であって、図８ＣのＦＩＣを利用した伝送方法を説明する図である。
【図１４】本発明の一実施形態によって、ＩＰデータキャスティング・サービスを提供するＤＡＢ受信装置の動作を説明するための図である。
【図１５】本発明によるＩＰデータキャスティング・サービスを応用した多様な実施形態を示した図である。
【図１６】本発明によるＩＰデータキャスティング・サービスを応用した多様な実施形態を示した図である。
【図１７】本発明によるＩＰデータキャスティング・サービスを応用した多様な実施形態を示した図である。
【図１８】本発明によるＩＰデータキャスティング・サービスを応用した多様な実施形態を示した図である。
【図１９】本発明によるＩＰデータキャスティング・サービスを応用した多様な実施形態を示した図である。
【図１】
2009501483.tif 000003
【図２】
2009501483.tif 000004
【図３】
2009501483.tif 000005
【図４】
2009501483.tif 000006
【図５】
2009501483.tif 000007
【図６Ａ】
2009501483.tif 000008
【図６Ｂ】
2009501483.tif 000009
【図７】
2009501483.tif 000010
【図８Ａ】
2009501483.tif 000011
【図８Ｂ】
2009501483.tif 000012
【図８Ｃ】
2009501483.tif 000013
【図９Ａ】
2009501483.tif 000014
【図９Ｂ】
2009501483.tif 000015
【図１０】
2009501483.tif 000016
【図１１】
2009501483.tif 000017
【図１２】
2009501483.tif 000018
【図１３】
2009501483.tif 000019
【図１４】
2009501483.tif 000020
【図１５】
2009501483.tif 000021
【図１６】
2009501483.tif 000022
【図１７】
2009501483.tif 000023
【図１８】
2009501483.tif 000024
【図１９】
2009501483.tif 000025
【国際調査報告】
2009501483.tif 000026
2009501483.tif 000027
2009501483.tif 000028
2009501483.tif 000029